(57)【要約】  イオントフォレーシス装置(１１０)は、イオントフォレーシスによりイオン性薬剤を投与するために使用される作用側電極構造体（１２０Ａ）及び非作用側電極構造体（１２０Ｂ）と、これらの作用側電極構造体（１２０Ａ）及び非作用側電極構造体（１２０Ｂ）に異なる極性で接続される直流電源装置（１１２）とを有し、前記作用側電極構造体（１２０Ａ）及び非作用側電極構造体（１２０Ｂ）の各々における先端面を密着面（１６０Ａ）、（１６０Ｂ）として皮膚（１５０）等の生物学的界面に密着可能なイオントフォレーシス装置であって、前記作用側電極構造体（１２０Ａ）及び非作用側電極構造体（１２０Ｂ）の少なくとも一方には、前記密着面（１６０Ａ）及び／又は（１６０Ｂ）を前記生物学的界面に密着する際に、前記作用側電極構造体（１２０Ａ）及び非作用側電極構造体（１２０Ｂ）の少なくとも一方と前記生物学的界面との間に負圧を発生させるための負圧発生装置（１３９Ａ）又は（１３９Ｂ）が一体的に設けられている。【特許請求の範囲】
【請求項１】
イオントフォレーシスによりイオン性薬剤を投与するために使用される作用側電極構造体及び非作用側電極構造体と、これらの作用側電極構造体及び非作用側電極構造体に異なる極性で接続される直流電源装置とを有し、前記作用側電極構造体及び非作用側電極構造体の各々における先端面を密着面として皮膚等の生物学的界面に密着可能なイオントフォレーシス装置であって、
前記作用側電極構造体及び非作用側電極構造体の少なくとも一方には、前記密着面を前記生物学的界面に密着する際に、前記作用側電極構造体及び非作用側電極構造体の少なくとも一方と前記生物学的界面との間に負圧を発生させるための負圧発生装置が一体的に設けられている
ことを特徴とするイオントフォレーシス装置。
【請求項２】
請求項１において、
前記負圧発生装置は、前記密着面を内包するように設けられた吸盤を有しており、
該吸盤は、前記生物学的界面に向けて押し込まれた後、吸盤自身の有する弾性復元力によって元の形状に戻るときに負圧を発生させる構成とされている
ことを特徴とするイオントフォレーシス装置。
【請求項３】
請求項１において、
前記負圧発生装置は、前記密着面を内包するように設けられた吸盤を有しており、
該吸盤の内側には、前記密着面が前記吸盤の先端部よりも深く前記生物学的界面に押し込み可能に突出して形成されている
ことを特徴とするイオントフォレーシス装置。
【請求項４】
請求項１において、
前記負圧発生装置は、前記密着面を内包するように設けられた吸盤を有しており、
該吸盤には、該吸盤の内外を連通する吸引孔及び前記吸盤の外部から内部への空気の流入を阻止し且つ内部から外部への空気の流入を許容する逆止弁とが備わっている
ことを特徴とするイオントフォレーシス装置。
【請求項５】
請求項１乃至４のいずれかにおいて、
前記作用側電極構造体及び非作用側電極構造体の少なくとも一方と前記生物学的界面との間には、空気漏れ防止部材が備わっている
ことを特徴とするイオントフォレーシス装置。
【請求項６】
請求項１乃至５のいずれかにおいて、
前記吸盤は、前記作用側電極構造体及び非作用側電極構造体の少なくとも一方の容器と一体形成されている
ことを特徴とするイオントフォレーシス装置。
【発明の詳細な説明】
【技術分野】
【０００１】
本発明は、イオントフォレーシスによりイオン性薬剤を投与するために使用される作用側電極構造体及び非作用側電極構造体と、これらの作用側電極構造体及び非作用側電極構造体に異なる極性で接続される直流電源装置と、を有するイオントフォレーシス装置に関する。
【背景技術】
【０００２】
従来から、特開平４−２９７２７７号公報に示されるようなイオントフォレーシス装置が公知となっている。【０００３】
このイオントフォレーシス装置は、イオン交換膜を巧みに配置することによって保持する薬剤（薬剤イオン）を効率的に皮膚内へと経皮導入することを実現している。【０００４】
しかし、イオン交換膜自体は皮膚への粘着性を有していないために、図５及び図６に示すような工夫がされ、皮膚への装着が行なわれていた。【０００５】
図５は従来からのイオントフォレーシス装置を模式的に示した図であり、図６は、図５における作用側電極構造体２０を密着面６０側から図示したものである。【０００６】
図５及び図６で示すイオントフォレーシス装置１０について簡単に説明する。【０００７】
イオントフォレーシス装置１０は作用側電極構造体２０Ａと、非作用側電極構造体２０Ｂとが電源装置１２と接続された構成とされている。作用側電極構造体２０Ａは、電源装置と接続される電極２２Ａと、該電極２２Ａの前面側に位置する緩衝液保持部３２Ａと、該緩衝液保持部３２Ａの前面に位置するアニオン交換膜２６Ａと、該アニオン交換膜２６Ａの前面に位置する薬剤保持部３０Ａと、該薬剤保持部３０Ａの前面に位置するカチオン交換膜２８Ａとが、バッキング層２４Ａの中に収容されている。なお、このバッキング層２４Ａは、この実施形態においては容器を兼ねているものである。【０００８】
又、カチオン交換膜２８Ａの周囲、且つ、作用側電極構造体２０Ａの密着面６０Ａ側には、この作用側電極構造体２０Ａを皮膚に粘着させるための粘着部３４が周設されている。この粘着部３４Ａは、ヒドロゲル等がよく利用されるが、皮膚への粘着性を有するものであればこれに限定されるものではない。【０００９】
一方、非作用側電極構造体２０Ｂは、電源装置と接続される電極２２Ｂと、該電極２２Ｂの前面に位置する緩衝液保持部３２Ｂと、該緩衝液保持部３２Ｂの前面に位置するカチオン交換膜２６Ｂと、該カチオン交換膜２６Ｂの前面に位置する電解液保持層３０Ｂと、該電解液保持層３０Ｂの前面に位置するアニオン交換膜２８Ｂとが、バッキング層２４Ｂの中に収容されている。なお、ここでもバッキング層２４Ｂは、非作用側電極構造体２０Ｂの容器としても機能している。更に、アニオン交換膜２８Ｂの周囲、且つ、非作用側電極構造体２０Ｂの密着面６０Ｂ側には、粘着部３４Ｂが周設されている。【００１０】
このように、作用側電極構造体２０Ａ又は非作用側電極構造体２０Ｂの密着面６０Ａ、６０Ｂ側に、粘着部３４Ａ、３４Ｂを設けることによって、カチオン交換膜２８Ａやアニオン交換膜２８Ｂ等のそれ自体が粘着性を有さないイオン交換膜が作用側あるいは非作用側電極構造体２０Ａ、２０Ｂの密着面６０Ａ、６０Ｂ側に位置していても皮膚に密着して装着することを可能としている。【００１１】
又、粘着部等を有さない場合には、バンドやテープ等を用いて皮膚に固定する方法も採られていた。【００１２】
なお、図５及び図６においては、説明の便宜上イオントフォレーシス装置の厚み等を誇張して図示しているが、実際に用いられる装置は、例えば図７に示すように、より扁平な構造のものが多い。以下本明細書において説明する図面も同様である。【００１３】
しかしながら、バンドにより作用側あるいは非作用側電極構造体を固定しようとした場合には、固定するための時間がかかり手間も煩雑なものとなる。又、バンドを締める強度を誤れば、固定した構造体がずれてしまうようなことも起こり得る。又、テープ等を用いて皮膚や粘膜等の生物学的界面に固定するような場合には、テープが有する接着剤による生物学的界面のかぶれ等も懸念される。他方、図５及び図６を用いて説明したような、構造体の密着面に粘着部を有するような場合には、バンドやテープのような不具合は無いものの、繰り返しの密着によって粘着力が低下したり、元々の粘着力自体が十分に強力でない場合もある。又、いわゆる使い捨て（ディスポーザブル）で使用されるような装置の場合には、繰り返しによる粘着力の低下は大きな問題とならないものの、粘着力自体が十分でない問題が残る。【００１４】
一方、生物学的界面には微細な凹凸が存在している。単に構造体を生物学的界面に貼付等する場合には、この凹凸により、凸部分のみが構造体の密着面と接触している。又、イオントフォレーシス装置（より正確には作用側電極構造体及び／又は非作用側電極構造体の密着面）と生物学的界面との密着度を上げることで、接触している面積が広くなり、薬剤の輸送量が増大することも分かっている。
【発明の開示】
【００１５】
本発明は、これらの問題点を解消するべくなされたものであって、簡易な構造を用いて、イオントフォレーシス装置における作用側電極構造体及び／又は非作用側電極構造体と生物学的界面との密着度を上げることをその課題としている。
【００１６】
なお、前述の説明も含め、本明細書において「前面」とは、装置の使用時（装着時）において、より生物学的界面側に近いことを意味するものである。
【００１７】
以下で詳細に説明する実施形態のように、イオントフォレーシスによりイオン性薬剤を投与するために使用される作用側電極構造体及び非作用側電極構造体と、これらの作用側電極構造体及び非作用側電極構造体に異なる極性で接続される直流電源装置とを有し、前記作用側電極構造体及び非作用側電極構造体の各々における先端面を密着面として皮膚等の生物学的界面に密着可能なイオントフォレーシス装置であって、前記作用側電極構造体及び非作用側電極構造体の少なくとも一方には、前記密着面を前記生物学的界面に密着する際に、前記作用側電極構造体及び非作用側電極構造体の少なくとも一方と前記生物学的界面との間に負圧を発生させるための負圧発生装置が一体的に設けられている構造とすることにより、上記課題を解決するものである。
【００１８】
これにより、作用側電極構造体及び／又は非作用側電極構造体の密着面と生物学的界面との密着度を上げることができる。
【００１９】
又、前記負圧発生装置は、前記密着面を内包するように設けられた吸盤を有しており、該吸盤は、前記生物学的界面に向けて押し込まれた後、吸盤自身の有する弾性復元力によって元の形状に戻るときに負圧を発生させてもよい。
【００２０】
これにより、吸盤という非常に簡易な構造で、作用側電極構造体及び／又は非作用側電極構造体の密着面と生物学的界面との密着度を上げることが可能となっている。
【００２１】
又、前記負圧発生装置は、前記密着面を内包するように設けられた吸盤を有しており、該吸盤の内側には、前記密着面が前記吸盤の先端部よりも深く前記生物学的界面に押し込み可能に突出して形成してもよい。
【００２２】
これにより、負圧発生時において、作用側電極構造体及び／又は非作用側電極構造体の密着面と生物学的界面とを確実に密着させることができる。
【００２３】
又、前記負圧発生装置は、前記密着面を内包するように設けられた吸盤を有しており、該吸盤には、該吸盤の内外を連通する吸引孔及び前記吸盤の外部から内部への空気の流入を阻止し且つ内部から外部への空気の流入を許容する逆止弁とを備えてもよい。
【００２４】
これにより、外部の吸引機構によって前記作用側電極構造体及び／又は非作用側電極構造体と生物学的界面との間に存在する空気を吸引することが可能となる。
【００２５】
又、前記作用側電極構造体及び非作用側電極構造体の少なくとも一方と前記生物学的界面との間に、空気漏れ防止部材を備えてもよい。これにより、長時間にわたって高い密着度を確保することができる。
【００２６】
又、前記吸盤は、前記作用側電極構造体及び非作用側電極構造体の少なくとも一方の容器と一体形成してもよい。これにより、製造コストを抑えることが可能である。
【図面の簡単な説明】
【００２７】
【図１】本発明の実施形態の例にかかるイオントフォレーシス装置を模式的に示す断面図
【図２】図１における作用側電極構造体の装着過程を模式的に示す断面図
【図３】本発明の実施形態の第２例にかかる作用側電極構造体を模式的に示す断面図
【図４】イオントフォレーシス装置を装着する場合に用いる空気漏れ防止部材としての密着用シール及び作用側電極構造体を模式的に示す斜視図
【図５】従来のイオントフォレーシス装置を模式的に示す断面図
【図６】図５におけるイオントフォレーシス装置における作用側電極構造体を密着面側から視た平面図
【図７】現実に使用されるイオントフォレーシス装置の一例を示す斜視図
【発明を実施するための最良の形態】
【００２８】
以下添付図面を用いて、本発明に係る実施形態の一例を詳細に説明する。【００２９】
図１に示されるように、本発明の実施形態に係るイオントフォレーシス装置１１０は、作用側電極構造体１２０Ａ及び非作用側電極構造体１２０Ｂを含んでなる。【００３０】
なお、説明の便宜上、薬効成分がカチオンに解離する薬剤（例えば麻酔薬である塩酸リドカイン、麻酔薬である塩酸モルヒネ等）を投与するためのイオントフォレーシス装置を例として説明するが、これとは逆に、薬効成分がアニオンに解離する薬剤（例えば、ビタミン剤であるアスコルビン酸等）を投与するためのイオントフォレーシス装置の場合は、以下の実施形態における電極に印加される電圧、及びイオン交換膜乃至イオン交換樹脂に導入される交換基の極性（陽極と陰極）を入れ替えることにより構成することができる。【００３１】
作用側電極構造体１２０Ａは、電源装置１１２と接続される電極１２２Ａと、該電極１２２Ａの前面側に位置する緩衝液保持部１３２Ａと、この緩衝液保持部１３２Ａの前面側に位置するアニオン交換膜１２６Ａと、該アニオン交換膜１２６Ａの前面に位置する薬剤保持部１３０Ａと、該薬剤保持部１３０Ａの前面に位置するカチオン交換膜１２８Ａとが、バッキング層１２４Ａの中に収容されている。なお、本実施形態においては、バッキング層１２４Ａが作用側電極構造体１２０Ａの容器も兼ねている。【００３２】
一方、非作用側電極構造体１２０Ｂは、電源装置１２２と接続される電極１２２Ｂと、該電極１２２Ｂの前面に位置する緩衝液保持部１３２Ｂと、該緩衝液保持部１３２Ｂの前面に位置するカチオン交換膜１２６Ｂと、該カチオン交換膜１２６Ｂの前面に位置する電解液保持層１３０Ｂと、該電解液保持層１３０Ｂの前面に位置するアニオン交換膜１２８Ｂとが、バッキング層１２４Ｂの中に収容されている。なお、ここでもバッキング層１２４Ｂは、非作用側電極構造体１２０Ｂの容器を兼ねている。【００３３】
電極１２２Ａ、１２２Ｂは、任意の導電性材料を用いることができるが、本実施形態のように後述する緩衝液保持部１３２Ａ、１３２Ｂが存在するような場合には、炭素電極（カーボン電極）を用いるのが好ましい。【００３４】
緩衝液保持部１３２Ａ、１３２Ｂは、長時間にわたってイオントフォレーシス装置１１０の通電性を確保するための緩衝液（電解液）を保持するものであり、この緩衝液としては、リン酸緩衝食塩水を使用することが可能である。より好ましくは、水の電解反応（作用側電極構造体１２０Ａは、電源装置のアノードに接続されているため酸化反応、又、非作用側電極構造体１２０Ｂはカソードに接続されているため還元反応）よりも酸化又は還元され易い電解質、例えば、リン酸第１鉄、リン酸第２鉄等の無機化合物、アスコルビン酸（ビタミンＣ）やアスコルビン酸ナトリウム等の物質、乳酸、シュウ酸、リンゴ酸、コハク酸、フマル酸の有機酸及び／又はその塩、又はこれらの混合物を使用することにより、水の電解によるガスの発生及びこれによる導電抵抗の増大あるいはｐＨ値の変動を防止することも可能である。勿論、ここで説明した物質に限定される趣旨のものではない。【００３５】
アニオン交換膜１２６Ａ、１２８Ｂは、アニオンを選択的に透過させる機能を有するイオン交換膜であり、例えば、株式会社トクヤマ製ネオセプタ（ＮＥＯＳＥＰＴＡ）ＡＭ−１、ＡＭ−３、ＡＭＸ、ＡＨＡ、ＡＣＨ、ＡＣＳ等のアニオン交換膜を特に制限無く使用できる。又、ポリオレフィン樹脂、塩化ビニル系樹脂、フッ素系樹脂、ポリアミド樹脂、ポリイミド樹脂からなる多孔質フィルムの孔の一部又は全部に、アニオン交換樹脂が重合されたタイプのアニオン交換膜を特に好ましく使用することができる。この場合のアニオン交換樹脂の充填は、スチレン−ジビニルベンゼン、クロロメチルスチレン−ジビニルベンゼン等の架橋性単量体に重合開始剤を配合した溶液を上記多孔質フィルムの孔中に含浸させた後に重合させ、この重合体に１乃至３級アミノ基、４級アンモニウム基、ピリジル基、インダゾール基、４級ピリジニウム基、４級イミダゾリウム基等のアニオン交換基を導入することにより行なうことができる。【００３６】
薬剤保持部１３０Ａには、溶解によって薬効成分がカチオンに解離する薬剤の溶液（薬液）が保持される。なお、作用側電極構造体が電源装置のカソードに接続されている場合には、この薬剤保持部には溶解によって薬効成分がアニオンに解離する薬剤の薬液が保持されることとなる。【００３７】
次に、カチオン交換膜１２８Ａ、１２６Ｂは、カチオンを選択的に透過させる機能を有するイオン交換膜であり、例えば、株式会社トクヤマ製ネオセプタ（ＮＥＯＳＥＰＴＡ）ＣＭ−１、ＣＭ−２、ＣＭＸ、ＣＭＳ、ＣＭＢ等のカチオン交換膜を特に制限無く使用できる。又、ポリオレフィン樹脂、塩化ビニル系樹脂、フッ素系樹脂、ポリアミド樹脂、ポリイミド樹脂等からなる多孔質フィルムの孔の一部又は全部に、カチオン交換樹脂が重鎮されたタイプのカチオン交換膜を特に好ましく使用することができる。この場合のカチオン交換樹脂の充填は、例えば、スチレン−ジビニルベンゼン、クロロメチルスチレン−ジビニルベンゼン等の架橋性単量体に重合開始剤を配合した溶液を上記多孔質フィルムの孔中に含浸させた後に重合させ、この重合体にスルホン酸基、カルボン酸基、ホスホン酸基等のカチオン交換基を導入することにより行なうことができる。【００３８】
バッキング層１２４Ａ、１２４Ｂは、作用側電極構造体１２０Ａ及び非作用側電極構造体１２０Ｂの一次構造要素として機能する。又、外部との隔壁、即ち保護カバーとしての役目を果たす。【００３９】
作用側電極構造体１２０Ａには、作用側電極構造体１２０Ａの密着面１６０Ａを内包するように、負圧発生装置を構成する吸盤１４０Ａが設けられている。又、非作用側電極構造体１２０Ｂにも非作用側電極構造体１２０Ｂの密着面１６０Ｂを内包するように、負圧発発生装置を構成する吸盤１４０Ｂが設けられている。【００４０】
ここで、作用側電極構造体１２０Ａ及び非作用側電極構造体１２０Ｂにおける負圧発生装置は同一構造であるので、作用側電極構造体１２０Ａの負圧発生装置について説明し、他方の負圧発生装置の説明に代えるものとする。【００４１】
作用側電極構造体１２０Ａの吸盤１４０Ａは、図１においては、バッキング層１２４Ａの側面に配置構成されているが、これに限られる趣旨のものではなく、例えばバッキング層１２４Ａと一体形成されていてもよい。又、吸盤１４０Ａは、例えばシリコンゴムなどの弾性復元力を有する材料で構成される。【００４２】
又、該吸盤１４０Ａの内側には、作用側電極構造体１２０Ａの密着面１６０Ａが突出している。即ち、吸盤１４０Ａの先端部１４１Ａよりも深く生物学的界面に押し込み可能に形成されている。【００４３】
なお、本実施形態としては、作用側電極構造体１２０Ａには、アニオン交換膜及びカチオン交換膜がそれぞれ１枚ずつ使用されているものであるが、この構成に限定されるものではなく、カチオン交換膜だけでもよいし、バイポーラ膜が用いられていてもよい。又、緩衝液保持部１３２Ａが設けられているが、本発明においてはこの緩衝液保持部１３２Ａが必須の構成要素となるものでもない。【００４４】
次に、イオントフォレーシス装置１１０の作用について説明する。【００４５】
電源装置１１２からの電気が作用側電極構造体１２０Ａにおける電極１２２Ａへと伝わると、緩衝液保持部１３２Ａに備わる緩衝液が酸化される。そうすると、薬剤保持部１３２Ａに備わるカチオンとアニオンのバランスが崩れる（カチオンが多くなる）こととなる。このバランスを補うために、緩衝液保持部１３２Ａのカチオンは薬剤保持部１３０Ａの方に移動しようとする。一方、薬剤保持部１３０Ａに備わるアニオンも、緩衝液保持部１３２Ａ側へと移動しようとする。しかしながら、緩衝液保持部１３２Ａと薬剤保持部１３０Ａの間に位置するアニオン交換膜１２６Ａの存在により、カチオンは通過できずアニオンのみが選択的に透過されることになる。即ち、緩衝液保持部１３２Ａから薬剤保持部１３０Ａへのカチオンの移動は認められず、薬剤保持部１３０Ａから緩衝液保持部１３０Ａへのアニオンの移動のみが許容される。そうすると、薬剤保持部１３０Ａのカチオンとアニオンのバランスが崩れてしまう。更にこれを補うために、薬剤保持部１３０Ａのカチオンはカチオン交換膜１２８Ａを通過して生物学的界面側へと移動しようとする。このときのカチオンは、カチオン交換膜１２８に選択的に透過されるため生物学的界面側へと移動することが可能となっている。【００４６】
このとき、作用側電極構造体１２０Ａの密着面１６０Ａ、即ち、カチオン交換膜１２８Ａが、生物学的界面（皮膚や粘膜など）に十分に密着していると、接触面積が増大することによって、カチオン交換膜１２８Ａによって選択的に透過されたカチオン（薬剤イオン）が生物学的界面側へと移動し易くなる。即ち、薬剤イオンの輸送効率が向上することになる。【００４７】
本実施形態においては、作用側電極構造体１２０Ａに備わる吸盤１４０Ａの存在によって、作用側電極構造体１２０Ａの密着面１６０Ａ（カチオン交換膜）と生物学的界面との密着度が高くなっている。【００４８】
この作用側電極構造体１２８Ａを装着する方法は、図２に示してある。【００４９】
まず、吸盤１４０Ａを有する作用側電極構造体１２０Ａを皮膚１５０の上に置いた上で、作用側電極構造体１２０Ａの上側（反皮膚側）から、軽く皮膚側へと押え付ける。これにより、作用側電極構造体１２０Ａの密着面１６０Ａが吸盤１４０Ａの先端部１４１Ａよりも深く皮膚に押し込まれると同時に、作用側電極構造体１２０Ａの密着面１６０Ａと皮膚１５０の間の空気、即ち、吸盤１４０Ａの内部に存在する空気が、外へと押し出される。その後、押え付けることを止めれば、作用側電極構造体１２０Ａと皮膚１５０との間の隙間１５１には負圧が発生し、皮膚１５０は作用側電極構造体１２０Ａの密着面１６０Ａ、即ちカチオン交換膜１２８Ａ側へと引き付けられることになる（図２（Ｃ））。この負圧によって、作用側電極構造体１２０Ａの密着面１６０Ａと、生物学的界面、即ち皮膚１５０との密着度が上昇する。更に、吸盤１４０Ａの内側には作用側電極構造体１２０Ａの密着面１６０Ａが突出して形成されているため、負圧発生時において密着面１６０Ａと皮膚１５０とが接触せずに浮いた状態となることもない。【００５０】
次に図３に示される本発明の実施形態の第２例における作用側電極構造体１２１Ａについて説明する。【００５１】
図３に示す作用側電極構造体１２１Ａの吸盤１４１Ａには、内外を連通する吸引孔１４６Ａが備わっている。更にこの吸引孔１４６Ａは、逆止弁１４４Ａを有しており、図示せぬ吸引機等の吸引機構によって一旦吸引した空気が、逆戻りしないような構造とされている。このように、単に吸盤のみで負圧を発生させるのみならず、強制的に作用側電極構造体１２１Ａの密着面１６０Ａと皮膚１５０の間の空気、即ち吸盤１４１Ａ内部に備わる空気を吸引することで、より密着度を上げることが可能となる。【００５２】
又、作用側電極構造体１２０Ａあるいは１２１Ａを装着したい部分には、生物学的界面の部位によっては、体毛が多く生えていたり、皮膚等の表面が乾燥していることによって、前述した吸盤により発生する負圧を上手く維持できないことも考えられる。このような場合には、図４に示すような表面の平滑な空気漏れを防止する部材である密着用シール１４２を、予め装着したい部分の生物学的界面側に貼り付けておき、その部分にイオントフォレーシス装置（の作用側電極構造体）の位置を合わせて装着することにより、かかる不具合を解消できる。即ち、より長時間にわたって、高い密着度を維持することが可能となる。【００５３】
又、図示はしないが、吸盤１４０Ａの内側面に、例えば皮膚などの生物学的界面と粘着可能な粘着部を備え、この粘着部の粘着力を利用して吸盤１４０Ａとの相乗効果によって、作用側電極構造体１２０Ａの密着面１６０Ａと皮膚１５０との密着度を向上させるようにしてもよい。【００５４】
なお、前述の説明では、作用側電極構造体にのみ着目して説明しているが、本発明は、作用側電極構造及び非作用側電極構造体のどちらか一方あるいは両方に負圧発生装置を設ける場合に適用されるものであり、両方に適用した場合は、薬剤イオンの輸送効率を更に向上させることが可能である。
【産業上の利用の可能性】
【００５５】
本発明は、人体に使用するイオントフォレーシス装置のみならず、広く動物及び植物に使用するイオントフォレーシス装置にも適用することができる。
【図１】
2007029611.tif 000002
【図２】
2007029611.tif 000003
【図３】
2007029611.tif 000004
【図４】
2007029611.tif 000005
【図５】
2007029611.tif 000006
【図６】
2007029611.tif 000007
【図７】
2007029611.tif 000008
【国際調査報告】
2007029611.tif 000009
2007029611.tif 000010
2007029611.tif 000011
2007029611.tif 000012